(57)【要約】      （修正有）【課題】携帯電話機など各種の情報を処理する情報処理装置において、装置に向き合う操作者本人以外の人も表示画面の画像を見やすくできるようにする。【解決手段】ＣＰＵは、開閉センサからのＯＮ信号によって２画面状態になったと判断すると、予めユーザによって「分割画面表示」の設定がされているか否かを判断する。ＣＰＵによって、「分割画面表示」の設定がされていると判断されると、この判断に基づいて、表示制御部から画像信号が液晶表示器に送られる。これにより、第１表示画面１１には、先に表示されていた画像が天地逆さまになって表示され、第２表示画面２１には、同じ画像が通常の状態（天地逆さまでない状態）で表示される。【選択図】図６
2011159310.tif 000002
【特許請求の範囲】
【請求項１】
第１表示画面を有する第１表示ユニットと、
第２表示画面を有する第２表示ユニットと、
前記第１表示ユニットおよび第２表示ユニットの表示を制御する表示制御部と、
前記第１表示画面のみが外部に臨む第１画面状態と前記第１表示画面と前記第２表示画面の双方が外部に臨む第２画面状態に前記第１表示ユニットおよび第２表示ユニットの配置状態を切り替えるための切替機構部とを備え、
前記表示制御部は、前記第２画面状態において、
前記第１表示画面に、１つ以上の表示領域を設定し、
前記第２表示画面に、１つ以上の表示領域を設定し、
同じ情報源の画像を前記第１表示画面および前記第２表示画面における複数の表示領域のそれぞれに向きを変えて表示し、
前記複数の表示領域のうちサイズが最も大きなメイン表示領域に前記情報源の画像の一部であるメイン画像を表示し、前記メイン表示領域を除く他の表示領域に前記メイン画像の一部を表示し、
前記複数の表示領域のいずれか１つに表示される画像を前記情報源の画像において所定の遷移方向に遷移させる操作が入力されたとき、前記メイン表示領域に表示されている前記メイン画像の前記遷移方向の終端に対応する部分が前記他の表示領域に現れるまで前記メイン表示領域における前記メイン画像の遷移を停止させながら、前記他の表示領域に表示される画像を前記メイン画像の終端に対応する部分が現れるまで前記遷移方向に遷移させ、
前記他の表示領域の全てに前記メイン画像の終端に対応する部分が現れると、前記メイン表示領域に表示される前記メイン画像を前記遷移方向に遷移させ、当該メイン画像の遷移に伴って前記他の表示領域に表示される画像を前記遷移方向に遷移させるよう前記第１表示ユニットと前記第２表示ユニットを制御する、
ことを特徴とする情報処理装置。
【請求項２】
請求項１に記載の情報処理装置において、
前記表示制御部は、前記第１画面状態から前記第２画面状態への切替え動作に応じて、前記複数の表示領域のそれぞれに表示される前記情報源の画像の向きを変化させる制御処理を実行する、
ことを特徴とする情報処理装置。
【請求項３】
請求項１に記載の情報処理装置において、
前記表示制御部は、前記第２画面状態において、外部からの切替え操作に基づいて、前記複数の表示領域のそれぞれに表示される前記情報源の画像の向きを変化させる制御処理を実行する、
ことを特徴とする情報処理装置。
【請求項４】
第１表示画面を有する第１表示ユニットと、
第２表示画面を有する第２表示ユニットと、
前記第１表示ユニットおよび第２表示ユニットの表示を制御する表示制御部と、
前記第１表示画面のみが外部に臨む第１画面状態と前記第１表示画面と前記第２表示画面の双方が外部に臨む第２画面状態に前記第１表示ユニットおよび第２表示ユニットの配置状態を切り替えるための切替機構部とを備え、
前記表示制御部は、前記第２画面状態において、
同じ情報源の画像を前記第１表示画面および前記第２表示画面のそれぞれに向きを変えて表示し、
前記第１表示画面に前記情報源の画像の一部であるメイン画像を表示し、前記第２表示
画面に前記メイン画像の一部を表示し、
前記第２表示画面に表示される画像を前記情報源の画像において所定の遷移方向に遷移させる操作が入力されたとき、前記第１表示画面に表示されている前記メイン画像の前記遷移方向の終端に対応する部分が前記第２表示画面に現れるまで前記メイン表示領域における前記メイン画像の遷移を停止させながら、前記第２表示画面に表示される画像を前記メイン画像の終端に対応する部分が現れるまで前記遷移方向に遷移させ、
前記第２表示画面に前記メイン画像の終端に対応する部分が現れると、前記第１表示画面に表示される前記メイン画像を前記遷移方向に遷移させ、当該メイン画像の遷移に伴って前記第２表示画面に表示される画像を前記遷移方向に遷移させるよう前記第１表示ユニット前記第２表示ユニットを制御する、
ことを特徴とする情報処理装置。
【発明の詳細な説明】
【技術分野】
【０００１】
本発明は、携帯電話機など各種の情報を処理する情報処理装置に関する。
【背景技術】
【０００２】
一般に、携帯電話機においては、液晶表示器による表示画面が備えられており、この表示画面に操作画面やメール文書、テレビ映像などが表示されるようになっている。この表示画面が大きいと、一度に多くの情報（文書など）を表示したり、テレビ映像を大きく映し出したりすることができる。しかし、一方で、表示画面が大きくなると機器自身のサイズが大きくなってしまい、携帯する際に邪魔になる。
【０００３】
そこで、このような課題に鑑み、常に外部に露出する第１表示画面と、携帯時などには機器本体内に収容され、使用時に外部に露出する第２表示画面とを備え、第１表示画面と第２表示画面とを一体化させた一つの画面にて画像を表示できるようにした携帯電話機が考え出されている。このような携帯電話機は、たとえば、特許文献１に示されている。
【特許文献１】特開２００３−２９８７００号公報
【発明の概要】
【発明が解決しようとする課題】
【０００４】
このように表示画面を大画面化することができれば、使用形態も広がってくる。たとえば、これまで一人で見ていた画像を、携帯電話を挟んで２人で見たり、携帯電話機を中心として周りから何人かで見たりするような場合も出てくる。たとえば、送信されたメールの内容を数人が確認したり、テレビ映像を数人で見たりするなどのケースが想定される。
【０００５】
しかしながら、従来の携帯電話機では、上記のような使用をした場合、携帯電話機に向き合う操作者本人（所有者本人）以外の人は、画像を逆さまに見なければならず、画像が見にくいという問題が出てくる。
【０００６】
本発明は、このような課題を解消するものであり、携帯電話機など各種の情報を処理する情報処理装置において、装置に向き合う操作者本人以外の人も表示画面の画像を見やすくできるようにすることを目的とする。
【課題を解決するための手段】
【０００７】
上記課題に鑑み本発明は、以下の特徴を有する。
【０００８】
本発明に係る情報処理装置は、第１表示画面を有する第１表示ユニットと、第１表示画面を有する第１表示ユニットと、第２表示画面を有する第２表示ユニットと、前記第１表示ユニットおよび第２表示ユニットの表示を制御する表示制御部と、前記第１表示画面のみが外部に臨む第１画面状態と前記第１表示画面と前記第２表示画面の双方が外部に臨む第２画面状態に前記第１表示ユニットおよび第２表示ユニットの配置状態を切り替えるための切替機構部とを備える。ここで、前記表示制御部は、前記第２画面状態において、前記第１表示画面に、１つ以上の表示領域を設定し、前記第２表示画面に、１つ以上の表示領域を設定し、同じ情報源の画像を前記第１表示画面および前記第２表示画面における複数の表示領域のそれぞれに向きを変えて表示し、前記複数の表示領域のうちサイズが最も大きなメイン表示領域に前記情報源の画像の一部であるメイン画像を表示し、前記メイン表示領域を除く他の表示領域に前記メイン画像の一部を表示し、前記複数の表示領域のいずれか１つに表示される画像を前記情報源の画像において所定の遷移方向に遷移させる操作が入力されたとき、前記メイン表示領域に表示されている前記メイン画像の前記遷移方
向の終端に対応する部分が前記他の表示領域に現れるまで前記メイン表示領域における前記メイン画像の遷移を停止させながら、前記他の表示領域に表示される画像を前記メイン画像の終端に対応する部分が現れるまで前記遷移方向に遷移させ、前記他の表示領域の全てに前記メイン画像の終端に対応する部分が現れると、前記メイン表示領域に表示される前記メイン画像を前記遷移方向に遷移させ、当該メイン画像の遷移に伴って前記他の表示領域に表示される画像を前記遷移方向に遷移させるよう前記第１表示ユニットと前記第２表示ユニットを制御する。
【０００９】
本態様に係る情報処理装置において、前記表示制御部は、前記第１画面状態から前記第２画面状態への切替え動作に応じて、前記複数の表示領域のそれぞれに表示される前記情報源の画像の向きを変化させる制御処理を実行するよう構成し得る。
【００１０】
本態様に係る情報処理装置において、前記表示制御部は、前記第２画面状態において、外部からの切替え操作に基づいて、前記複数の表示領域のそれぞれに表示される前記情報源の画像の向きを変化させる制御処理を実行するよう構成し得る。
【００１１】
本発明に係る他の情報処理装置は、第１表示画面を有する第１表示ユニットと、第２表示画面を有する第２表示ユニットと、前記第１表示ユニットおよび第２表示ユニットの表示を制御する表示制御部と、前記第１表示画面のみが外部に臨む第１画面状態と前記第１表示画面と前記第２表示画面の双方が外部に臨む第２画面状態に前記第１表示ユニットおよび第２表示ユニットの配置状態を切り替えるための切替機構部とを備える。ここで、前記表示制御部は、前記第２画面状態において、同じ情報源の画像を前記第１表示画面および前記第２表示画面のそれぞれに向きを変えて表示し、前記第１表示画面に前記情報源の画像の一部であるメイン画像を表示し、前記第２表示画面に前記メイン画像の一部を表示し、前記第２表示画面に表示される画像を前記情報源の画像において所定の遷移方向に遷移させる操作が入力されたとき、前記第１表示画面に表示されている前記メイン画像の前記遷移方向の終端に対応する部分が前記第２表示画面に現れるまで前記メイン表示領域における前記メイン画像の遷移を停止させながら、前記第２表示画面に表示される画像を前記メイン画像の終端に対応する部分が現れるまで前記遷移方向に遷移させ、前記第２表示画面に前記メイン画像の終端に対応する部分が現れると、前記第１表示画面に表示される前記メイン画像を前記遷移方向に遷移させ、当該メイン画像の遷移に伴って前記第２表示画面に表示される画像を前記遷移方向に遷移させるよう前記第１表示ユニットと前記第２表示ユニットを制御する。
【００１２】
なお、前記表示制御部は、前記第２画面状態において、前記第１表示画面と前記第２表示画面の一方に、他方の表示画面における表示の向きとは異なる向きにて画像を表示させるよう構成し得る。
【００１３】
このような構成によれば、第１表示画面と第２表示画面の一方に、他方の表示画面における表示の向きとは異なる向きにて画像が表示されるため、何れかの表示画面上の画像の向きを操作者本人以外の人の見る方向に合わせることにより、操作者本人以外の人からも画像を見やすくすることができる。
【００１４】
また、前記表示制御部は、前記第１画面状態から前記第２画面状態への切替え動作に応じて、前記表示画像の方向を変化させる制御処理を実行するよう構成し得る。
【００１５】
このような構成によれば、第１画面状態から第２画面状態への切替え操作に応じて、向きを変えた表示が行われるので、第２画面状態への切替えの度に表示の向きを変える操作を行う必要がなく、操作性の向上が図られる。たとえば、電子メールを見るような場合には、他の人に見せるために２画面状態に切り替えたいとのニーズが起こり易いものと想定
される。よって、電子メールモードにおいて２画面に切り替えると表示の向きが変えられた状態でメールが表示されるよう予め設定しておけば、メカ的な２画面表示への切り替え動作に応じて、自動で、他の人に見易い状態で電子メールを表示させることができ、利便性が向上する。このように、たとえばモード毎にユーザ設定可能とすることにより、上記効果が助長され得るものである。
【００１６】
この場合、前記表示制御部は、前記第１画面状態から前記第２画面状態への切り替え動作に応じて、前記第１表示画面の表示画像の方向を変化させる制御処理を実行するよう構成し得る。
【００１７】
このような構成によれば、第１画面状態から第２画面状態への切り替え動作に応じて、第１表示画面の表示画像の方向を変化させることができる。
【００１８】
さらに、前記表示制御部は、前記第２画面状態において、外部からの切替え操作に基づいて、前記表示画像の方向を変化させる制御処理を実行するよう構成し得る。
【００１９】
このような構成によれば、操作に応じて随時、画像の向きを変更できるようにすると、操作者本人以外の人の見る方向に合わせて画像の向きを調整できるため、上記効果を円滑に発揮させることができる。なお、図１２に示す構成例のように、操作に応じて画面分割の分割数と画像の向きを変更できるようにすれば、操作者本人以外の複数の人の見る方向に合わせて画像の向きを調整でき、他の人の人数に応じて画像を見やすくすることができる。
【００２０】
また、前記表示制御部は、前記第２画面状態において、同じ情報源の画像を複数の表示領域に向きを変えて表示させ、この表示状態において、表示画像を送る操作が入力されたとき、各表示領域の画像送りが同期するよう前記第１表示ユニットと前記第２表示ユニットを制御するよう構成し得る。
【００２１】
このような構成によれば、操作者により画面を送る操作がなされたときに、各表示領域の画像送りが同期されるため、操作者と他の人において同じ画像を並行して見ることができ、表示画像に基づく情報を円滑に共有することができる。
【００２２】
この場合、前記表示制御部は、各表示領域におけるスクロール速度を変化させて各表示領域の画像送りを同期させるよう構成し得る。
【００２３】
このような構成によれば、上記と同様に、操作者と他の人において表示画像に基づく情報を円滑に共有することができる。
【００２４】
さらに、前記表示制御部は、前記表示領域のうち最も大きな表示領域に表示されたメイン画像の終端が他の全ての表示領域に表示されるまで当該最も大きな表示領域における画像送りを停止して他の表示領域における表示を前記メイン画像の終端まで順次送り、前記他の表示領域の全てに前記メイン画像の終端までが表示された後、前記メイン画像に続く画像を各表示領域に表示させるよう前記第１表示ユニットと前記第２表示ユニットを制御するよう構成し得る。
【００２５】
このような構成によれば、上記と同様に、操作者と他の人において表示画像に基づく情報を円滑に共有することができる。また、全ての表示領域にメイン画像が表示されるまで画像送りが待機されるため、操作者および他の人において、同じ画像を落ち着いて完全に見ることができ、情報共有の効果を円滑かつ確実に発揮させることができる。
【００２６】
なお、第１表示画面を有する第１表示ユニットおよび第２表示画面を有する第２表示ユニットにおける画像の表示を制御する表示制御手段を備えた情報処理装置において、前記表示制御手段は、前記第１表示画面のみが外部に臨む第１画面状態から、前記第１表示画面と前記第２表示画面との双方が外部に臨む第２画面状態への自装置の遷移に伴い、前記第１表示画面における表示画像の方向を変化させるよう構成し得る。
【００２７】
このような構成によれば、操作者本人以外の人からも画像を見やすくすることができる。また、第１画面状態から第２画面状態への自装置の遷移に伴い、向きを変えた表示が行われるので、第２画面状態への切替えの度に表示の向きを変える操作を行う必要がなく、操作性の向上が図れる。
【００２８】
また、第１表示画面を有する第１表示ユニットおよび第２表示画面を有する第２表示ユニットにおける画像の表示を制御する表示制御手段を備えた情報処理装置において、前記表示制御手段は、前記第１表示画面のみが外部に臨む第１画面状態から、前記第１表示画面と前記第２表示画面との双方が外部に臨む第２画面状態への自装置の遷移に伴い、前記第２表示画面に、前記遷移前に前記第１表示画面に表示していた画像を当該画像の向きとは異なる向きに表示させるよう構成し得る。
【００２９】
このような構成によれば、上記と同様に、操作者本人以外の人からも画像を見やすく、また、操作性の向上が図られる。
【発明の効果】
【００３０】
請求項１および４の構成によれば、第２画面状態において表示画像の方向を変化させることができるため、表示画像の方向を操作者本人以外の人の見る方向に合わせることにより、操作者本人以外の人からも画像を見やすくすることができる。
【図面の簡単な説明】
【００３１】
【図１】実施の形態に係る携帯電話機の構成を示す図
【図２】実施の形態に係る携帯電話機において、第１表示画面による１画面状態から第１表示画面と第２表示画面とによる２画面状態への切替え操作について説明するための図
【図３】実施の形態に係る携帯電話機の回路構成を示すブロック図
【図４】実施の形態に係る携帯電話機において、１画面状態のときに第１表示画面に表示される初期画面（モード選択画面）の表示例を示す図
【図５】実施の形態に係る携帯電話機において、画面表示制御を説明するためのフローチャート。
【図６】実施の形態に係る携帯電話機において、画面表示制御を行ったときのメールモードでの画面表示例を示す図
【図７】実施の形態に係る携帯電話機において、２画面状態のときに互いに異なる画像が表示される画面表示例を示す図
【図８】実施の形態に係る携帯電話機において、２画面状態のときに３つ以上の画像が表示される画面表示例を示す図
【図９】実施の形態に係る携帯電話機において、第１、第２のスクロール制御を説明するためのフローチャート
【図１０】実施の形態に係る携帯電話機において、第１、第２のスクロール動作を行ったときの画面表示例を示す図
【図１１】実施の形態に係る携帯電話機において、他の画面表示制御を説明するためのフローチャート
【図１２】実施の形態に係る携帯電話機において、他の画面表示制御を行ったときのメールモードでの画面表示例を示す図
【図１３】実施の形態に係る携帯電話機において、画面表示制御をテレビモードに適用したときの画面表示例を示す図
【図１４】実施の形態に係る携帯電話機において、２画面状態において、第１表示画面と第２表示画面とが左右に並ぶようにした他の構成例を示す図
【図１５】実施の形態に係る携帯電話機において、２画面状態において、第１表示画面と第２表示画面とが左右に並ぶようにした他の構成例を示す図
【図１６】実施の形態に係る携帯電話機において、２画面状態において、第１表示画面の画像の方向がユーザの操作により切り替わる構成例を示す図
【発明を実施するための最良の形態】
【００３２】
以下、本発明の実施形態につき図面を参照して説明する。
【００３３】
図１は、本発明の情報処理装置の一実施形態である携帯電話機の構成を示す図（分解斜視図）である。携帯電話機は、第１キャビネット１と、第２キャビネット２と、これら第１、第２キャビネット１、２を保持する保持体３とで構成されている。
【００３４】
第１キャビネット１は、上下に薄い横長の直方体形状を有する。第１キャビネット１には、液晶表示器（図示せず）が内蔵され、その上面に、第１表示画面１１が配されている。第１表示画面１１の上には、タッチパネル１２が取り付けられる。タッチパネル１２は、第１表示画面１１上に表示された各種キーがユーザによって押されたときに、押された位置を検出して、その位置に応じた信号（位置信号）を出力する。  
【００３５】
第１キャビネット１の内部には、中央やや後ろ位置にカメラモジュール１３が配されている。このカメラモジュール１３における被写体像を取り込むためのレンズ窓（図示せず）が、第１キャビネット１の下面に設けられている。第１キャビネット１の内部には、また、前面近傍の中央位置に磁石１４が配されており、右前角部に磁石１５が配されている。さらに、上キャビネット１の右側面および左側面には、それぞれ、突起部１６、１７が設けられている。
【００３６】
第２キャビネット２は、上下に薄い横長の直方体形状を有する。すなわち、第２キャビネット２は、第１キャビネット１とほぼ同じ形状と大きさを有する。第２キャビネット２には、液晶表示器（図示せず）が内蔵され、その上面に、第２表示画面２１が配されている。この第２表示画面のサイズは、第１表示画面１１のサイズと同じになっている。第２表示画面２１の上には、タッチパネル２２が取り付けられる。タッチパネル２２は、第２表示画面２１上に表示された各種キーがユーザによって押されたときに、押された位置を検出して、その位置に応じた信号（位置信号）を出力する。
【００３７】
第２キャビネット２の内部には、後面近傍の中央位置に磁石２３が配されている。
この磁石２３と第１のキャビネットの磁石１４とは、後述の如く大画面を構成する位置に第１キャビネット１と第２キャビネット２が位置づけられた状態（２画面状態）にあるときに、互いに引き合うよう構成されている。なお、第１キャビネット１および第２キャビネット２において、一方の磁石の磁力が十分大きければ、他方の磁石を磁性体に代えてもよい。
【００３８】
第２キャビネット２内部において、右前角部には閉成センサ２４が配されており、右後角部には開成センサ２５が配されている。これら閉成センサ２４およびと開成センサ２５は、たとえば、ホールＩＣなどで構成され、磁石の磁力に反応して検出信号を出力する。後述するように、第１キャビネット１と第２キャビネット２とが重なった状態になると、第１キャビネット１の磁石１５が、閉成センサ２４に接近するので、閉成センサ２４からＯＮ信号が出力される。一方、第１キャビネット１と第２キャビネット２とが並んだ状態
になると、第１キャビネット１の磁石１５が、開成センサ２５に接近するので、閉成センサ２５からＯＮ信号が出力される。
【００３９】
さらに、第２キャビネット２の右側面には２つの軸部２６が設けられており、第２キャビネット２の左側面には２つの軸部２７が設けられている。
【００４０】
保持体３は、底板部３１と、底板部３１の右端部に形成された右保持部３２と、底板部３１の左端部に形成された左保持部３３とで構成されている。底板部３１、右保持部３２および左保持部３３に囲まれた収容領域Ｒに、第１キャビネット１および第２キャビネット２が上下に重なった状態で収容される。
【００４１】
底板部３１には、３つのコイルバネ３４が左右方向に並ぶように配されている。これらコイルバネ３４は、第２キャビネット２が保持体３に取り付けられた状態において、第２キャビネット２の下面に当接し、第２キャビネット２に対して上方に押し上げる力を付与する。
【００４２】
右保持部３２の上面にはマイク３５および電源ボタン３６が配されている。また、右保持部３２の外側面には、操作ボタン群３７が配されている。操作ボタン群３７は、マナーモードの設定ボタンなど、複数の操作ボタンからなる。一定の機能については、これら操作ボタンを操作することにより、タッチパネル１２、２２を操作することなく実行できる。左保持部３３の上面には、スピーカ３８が配されている。ユーザは、左保持部３３側が耳元に、右保持部３２側が口元にくるように携帯電話機を持って、通話を行う。
【００４３】
右保持部３２および左保持部３３の内側面には、案内溝３９（左保持部３３側のみ図示）が形成されている。案内溝３９は、前後方向に延びる上溝３９ａおよび下溝３９ｂと、溝の前側に形成され、上溝３９ａと下溝３９ｂとに繋がるよう上下に延びる２つの縦溝３９ｃとで構成されている。
【００４４】
携帯電話機をアセンブルする際には、軸部２６、２７をガイド溝３９の下溝３９ｂに挿入するようにして、第２キャビネット２を保持体３の収容領域Ｒ内に配置し、さらに、突起部１６，１７をガイド溝３９の上溝３９ａに挿入するようにして、第１キャビネットを保持体３の収容領域Ｒ内であって第２キャビネット２の上に配置する。  こうして、第１キャビネット１は、上溝３９ａに案内されて前後にスライド可能となる。また、第１キャビネット２は、下溝３９ｂに案内されて前後にスライド可能となる。また、第２キャビネットが前方に移動し、軸部２６、２７が縦溝３９ｃまでくると、第２キャビネット２は、縦溝３９ｃに案内されて上下にスライド可能となる。
【００４５】
図２は、本実施の形態に係る携帯電話機において、第１表示画面１１による１画面状態から第１表示画面１１と第２表示画面２１とによる２画面状態への切替え操作について説明するための図である。
【００４６】
初期の状態においては、同図（ａ）に示すように、第２キャビネット２が第１キャビネット１の背面に隠れた状態となっている。この状態においては、第１表示画面１１のみが外部に露出している。この状態を「１画面状態」という。切替えの操作は、ユーザによって手動で行われる。
【００４７】
まず、ユーザは、同図（ｂ）に示すように、第１キャビネット１を後方に移動させる。次に、第１キャビネット１の後方への移動が完了すると、同図（ｃ）に示すように、第２キャビネット２を前方へ引き出す。この引出し操作によって、第２キャビネット２が第１キャビネット１に完全に重ならない位置、すなわち第２キャビネット２の前に並ぶ位置ま
で移動すると、上述のように、軸部２６、２７が縦溝３９ｃにくるので、第２キャビネット２はコイルバネ３３に押されて上昇する。このとき、磁石１４と磁石２３とが引き合うことによって、さらに大きな上昇力が働く。こうして、同図（ｄ）に示すように、第１キャビネット１と第２キャビネット２とが、前後に密着するように、且つ面一となるように並ぶ。第１表示画面１１と第２表示画面２１とが一体化され、大画面となる。この状態を「２画面状態」という。
【００４８】
図３は、本実施の形態に係る携帯電話機の回路構成を示すブロック図である。携帯電話機は、図１により説明した構成部品の他、ＣＰＵ１００、ＴＶモジュール２００、通信処理部３００、液晶表示器４００、５００、メモリ６００、バッテリー７００、電源部８００を備える。
【００４９】
ＴＶモジュール２００は、ＴＶチューナなどを含み、アンテナ２１０を介して受信した地上デジタル放送波などの電波を映像信号に変換してＣＰＵ１００に送る。
【００５０】
カメラモジュール１３は、撮像レンズ１３ａ、撮像素子１３ｂなどから構成されている。撮像レンズ１３ａは、被写体の像を撮像素子１３ｂ上に結像させる。撮像素子１３ｂは、例えばＣＣＤからなり、取り込んだ画像に応じた撮像信号を生成し、ＣＰＵ１００へ送る。
【００５１】
マイク３５は、音声信号を電気信号に変換してＣＰＵ１００へ送る。スピーカ３８は、ＣＰＵ１００からの音声信号を音声として再生する。
【００５２】
通信制御部３００は、ＣＰＵ１００からの音声信号や画像信号、テキスト信号などを無線信号に変換し、アンテナ３１０を介して基地局へ送信するとともに、アンテナ３１０を介して受信した無線信号を音声信号や画像信号、テキスト信号などに変換してＣＰＵ１００へ送る。
【００５３】
液晶表示器４００は、第１表示画面１１を構成する液晶パネル、バックライト装置などを備え、ＣＰＵ１００から駆動信号によって、第１表示画面１１上に画像を表示する。同じく、液晶表示器５００は、第２表示画面２１を構成する液晶パネル、バックライト装置などを備え、ＣＰＵ１００から駆動信号によって、第２表示画面２１上に画像を表示する。
【００５４】
メモリ６００には、カメラモジュール１３で撮影した画像データや通信処理部３００を介して外部から取り込んだ画像データ、テキストデータ（メールデータ）などが所定のファイル形式で保存される。
【００５５】
バッテリー７００は、ＣＰＵ１００やＣＰＵ１００以外の携帯電話機の各部へ電力を供給するためのものであり、二次電池からなる。バッテリー７００は、電源部８００に接続されている。
【００５６】
電源部８００は、バッテリー７００の電圧を前記各構成部に必要な大きさの電圧に変換して各構成部に供給する。また、電源部８００は、外部電源の入力部（図示せず）を介して供給された電力をバッテリー７００に供給して、バッテリー７００を充電する。
【００５７】
電源部８００には、電圧検出部８１０が設けられている。電圧検出部８１０は、バッテリー７００の電圧を検出して、ＣＰＵ１００へ送る。
【００５８】
ＣＰＵ１００は、タッチパネル１２、２２、操作ボタン群３７、マイク３５、撮像素子
１３など各部からの入力信号に基づいて、スピーカ３００、液晶表示器４００、５００などの各部に制御信号を出力することにより、通話処理や各種モード（メールモード、インターネットモード、テレビモード、カメラモードなど）の処理を行う。また、ＣＰＵ１００は、電圧検出部８１０からの電圧信号に基づいて、バッテリー７００の残量を判断する。
【００５９】
ＣＰＵ１００は表示制御部１１０を含む。表示制御部１１０は、ＣＰＵ１００内に用意された作業エリアとなるメモリ（図示せず）内で、液晶表示器４００、５００に表示する画像を生成し、生成した画像を表示させるための画像信号（ＲＧＢ信号）を液晶表示器４００、５００に出力する。また、制御表示部１１０は、撮像素子１３ｂから送られてきた画像データ、メモリ６００内に保存された画像データ、通信処理部３００を介して受信した画像データなどを取り込む。そして、取り込んだ画像データから画像信号（ＲＧＢ信号）を生成し、生成した画像信号を液晶表示器４００、５００に出力する。液晶表示器４００、５００には、画像信号に応じた画像が表示される。
【００６０】
さて、第２キャビネット２が閉じられており、１画面状態にあるときには、第１表示画面１１上に画像が表示される。図４は、本実施の形態に係る携帯電話機において、１画面状態のときに第１表示画面１１に表示される初期画面（モード選択画面）の表示例を示す図である。
【００６１】
第１表示画面１１の中央部には、メイン表示として、「テレビ」「メール」「マップ」など１１種類のモードキーＭ１が配されている。ユーザが画面上で、所望のモードキーＭ１を押すと、そのモードキーＭ１に応じたモードが実行される。第１表示画面１１の上部には、サブ表示として、受信状態を示すアンテナマークＭ２、メールが受信されたことを示すメールマークＭ３、電池の残量を示す残量マークＭ４が配されている。
【００６２】
この初期画面において、ユーザにより、たとえば、「テレビ」のモードキーＭ１が押されれば、第１表示画面１１にテレビ番組が表示される。また、初期画面において「メール」のモードキーＭ１が押され、さらに次の画面において、受信したメールの内容を見る操作がなされると、第１表示画面１１にメール内容が表示される。
【００６３】
本実施の形態では、この１画面状態から、第２キャビネット２が引き出され、２画面状態になると、この２画面状態において、第１表示画面１１と第２表示画面２１を利用して、互いに向きの異なる複数の画像を表示させることができる。
【００６４】
図５は、本実施の形態に係る携帯電話機において、画面表示制御を説明するためのフローチャートである。また、図６は、本実施の形態に係る携帯電話機において、画面表示制御を行ったときのメールモードでの画面表示例を示す図である。
【００６５】
まず、第２キャビネット２が閉じた状態（１画面状態）では、表示制御部１１０から画像信号が液晶表示器４００に送られ、これによって、第１表示画面１１には、図６（ａ）に示すように、所定の画像（文章、映像など）が表示される（Ｓ１）。たとえば、第１表示画面１１に受信したメールの文章が表示される。また、画面の右端には、文章をスクロールするためのスクロール操作部Ｍ５が表示される。ユーザは、このスクロール操作部Ｍ５を操作することにより、次の文章を表示させることができる。
【００６６】
ユーザの操作によって、第２キャビネット２が引き出され、２画面状態となると、上述したように、開成センサ２５からのＯＮ信号がＣＰＵ１００に入力される。ＣＰＵは、ＯＮ信号が入力されたか否かにより２画面状態となったか否かを判断する。（Ｓ２）。なお、閉成センサ２４からの信号がＯＦＦとなることで、２画面状態になったと判断する構成
としてもよいし、閉成センサ２４のＯＮ信号がなくなり且つ開成センサ２５のＯＮ信号があると、２画面状態になったと判断する構成としてもよい。
【００６７】
ＣＰＵ１００は、２画面状態になったと判断すると（Ｓ２：ＹＥＳ）、次に、予めユーザによって「分割画面表示」の設定がされているか否かを判断する（Ｓ３）。そして、ＣＰＵ１００によって「分割画面表示」の設定がされていると判断されると（Ｓ３：ＹＥＳ）、この判断に基づいて、表示制御部１１０から画像信号が液晶表示器４００および液晶表示部５００に送られる。これにより、第１表示画面１１には、図６（ｂ）に示すように、先に表示されていた画像が天地逆さまになって表示され、第２表示画面２１には、同じ画像が通常の状態（天地逆さまでない状態）で表示される（Ｓ４）。たとえば、第１表示画面１１には、メール文章が天地逆さまになって表示され、第２表示画面２１には、同じメール文章が通常の状態（天地逆さまでない状態）で表示される。このとき、スクロール操作部Ｍ５が第２表示画面２１の右端に表示される。
【００６８】
一方、ＣＰＵ１００によって、「分割画面表示」の設定がされていないと判断されると（Ｓ３：ＮＯ）、この判断に基づいて、表示制御部１１０から画像信号が液晶表示器４００および液晶表示器５００に送られ、第１表示画面１１と第２表示画面２１とが一体化された大画面上に、図６（ｃ）に示すように、１つの画像が表示される。たとえば、第１表示画面１１には、１画面状態のときと同じメール文章が表示され、第２表示画面２１には、第１表示画面１１に続くメール文章が表示される。このとき、スクロール操作部Ｍ５は、第２表示画面２１に表示される。なお、スクロール操作部Ｍ１を表示画面上に設けずに、操作ボタン群３７の中のボタンとして設けてもよい。
【００６９】
以上、本実施の形態の構成では、２画面状態にあるときに、第１表示画面１１に天地逆さまになった画像が表示され、第２表示画面に通常の状態で画像が表示されるので、ユーザ本人以外の人、たとえば、携帯電話機を挟んで向かい合った相手に、携帯電話機を向けたり手渡したりすることなく、画像（メール内容など）を見やすい状態で見せることができる。
【００７０】
さらに、１画面状態から２画面状態への切替え操作に応じて、上記「分割画面表示」が行われる構成としたので、２画面状態への切替えの度に、そのための操作をする必要がなく、操作が容易になる。
【００７１】
さらに、上記「分割画面表示」が設定されていない場合には、大画面での表示が行われるので、この大画面表示によって、一度に多くの情報を表示させたり、拡大された画像を表示させたりすることができる。
【００７２】
以上、本発明の実施形態について説明したが、本発明はこれに限定されるものではなく、また、本発明の実施形態も、特許請求の範囲に示された技術的思想の範囲内において、適宜、種々の変更が可能である。たとえば、以下のように変更され得る。
【００７３】
（変形例１）
上記実施の形態では、第１表示画面１１と第２表示画面２１とに同じ画像を表示するようにしたが、これに限らず、互いに異なる画像が表示されるようにしてもよい。
【００７４】
図７は、本実施の形態に係る携帯電話機において、２画面状態のときに互いに異な画像が表示される画面表示例を示す図である。この表示例においては、２画面状態において、第１表示画面１１に天地逆さまのメール文章が表示される。このメール文章は、１画面状態で表示されていたメール文章である。一方、第２表示画面２１にはモード選択画面の画像が通常の状態で表示される。第２表示画面２１上でモード選択操作をすれば、それに基
づくモードの画像が表示される。このような構成とすれば、相手に対してメール内容（画像）を確認させることができるとともに、ユーザ本人は、他の画像を表示させてそれを確認することができる。
【００７５】
（変形例２）
上記実施の形態では、第１表示画面１１と第２表示画面２１とによって、互いに向きの異なる２つの画像を表示するようにしたが、これに限らず、互いに向きの異なる３つ以上の画像を表示させるようにしてもよい。
【００７６】
図８は、本実施の形態に係る携帯電話機において、２画面状態のときに３つ以上の画像が表示される画面表示例を示す図である。同図（ａ）の表示例においては、２画面状態において、第１表示画面１１が左右に２分割され、分割された画面（以下、「サブ画面」という）に、それぞれメール文章（画像）が表示されるようにしている。このとき、右側のサブ画面においては、右側が下になるように横向きに文章が表示され、左側のサブ画面においては、左側が下になるように横向きに文章が表示される。このような構成とすれば、２方向からサブ画面のメール内容を見ることができ、３人（ユーザ本人を含む）でメール内容を確認することができる。
【００７７】
図８（ｂ）の表示例においては、２画面状態において、第１表示画面１１が３分割され、３つのサブ画面に、それぞれメール文章（画像）が表示されるようにしている。すなわち、左右のサブ画面においては、図７（ｃ）と同様に、横向きに文章が表示され、後ろのサブ画面においては、図７（ａ）と同様に、天地逆さまの文章が表示される。このような構成とすれば、３方向からサブ画面のメール内容を見ることができ、４人（ユーザ本人を含む）でメール内容を確認することができる。なお、この表示例のように、４つの画像を表示する場合には、第１表示画面１１と第２表示画面２１を、それぞれ２分割する構成としてもよい。
【００７８】
さて、図８の表示例のように、第１表示画面１１が分割され、各サブ画面に文章が表示される構成とした場合、各サブ画面では、表示領域が小さくなるため、表示できる文字数が少なくなってしまう。このため、サブ画面には、第２表示画面２１（サブ画面に対し、以下、「メイン画面」という）に表示された全文章を一度に表示することができない。
【００７９】
よって、このような構成においては、サブ画面を見ている相手がメイン画面に表示された全文章を読めないまま、メイン画面側でスクロール操作がなされ、次の文章に移行されてしまう惧れがある。そこで、このような問題を解消するため、以下のような第１、第２のスクロール制御が行われる。
【００８０】
図９は、本実施の形態に係る携帯電話機において、第１、第２のスクロール制御を説明するためのフローチャートである。同図（ａ）は、第１のスクロール制御に対するフローチャート、同図（ｂ）は、第２のスクロール制御に対するフローチャートである。また、図１０は、本実施の形態に係る携帯電話機において、第１、第２のスクロール動作を行ったときの画面表示例である。
【００８１】
サブ画面に最初にメール文章が表示されると、あるいは、メイン画面でのスクロール操作に基づいて次のメール文章が表示されると、図９（ａ）に示す第１のスクロール制御が開始される。
【００８２】
ＣＰＵ１００は、完了フラグを「０」にリセットする（Ｓ１０１）。完了フラグは、ＣＰＵ１００の内部に備えられており、サブ画面のスクロール動作が完了すると、「１」にセットされる。
【００８３】
次に、ＣＰＵ１００は、メール文章が表示されてからの経過時間Ｔが規定時間Ｔａを超えたか否かを判断する（Ｓ１０２）。経過時間ＴはＣＰＵ１００内部のタイマーにより計測される。規定時間Ｔは、サブ画面に表示されたメール文章を読むために必要と考えられる時間であり、この規定時間として予め適宜の時間が設定される。規定時間Ｔａを超えないうちは、図１０（ａ）に示すように、第１表示画面の各サブ画面に最初の文章が表示され続ける。
【００８４】
規定時間Ｔａが経過し、ＣＰＵ１００によって、経過時間Ｔが規定時間Ｔａを超えたと判断されると（Ｓ１０２：ＹＥＳ）、この判断に基づいて、表示制御部１１０から画像信号が液晶表示器４００に送られる。これにより、第１表示画面１１の各サブ画面では、画面がスクロールし、図１０（ｂ）に示すように、次のメール文章が表示される。
【００８５】
次に、ＣＰＵ１００は、今回のサブ画面での表示によって、メイン画面の文章の終端文字まで表示されたか否かを判断する。図８（ａ）の構成のように画面が２分割の場合には、サブ画面へ２回表示すればメイン画面の全文章が表示できる。よって、この場合には、ＣＰＵ１００によって、終端文字まで表示されたと判断される（Ｓ１０４：ＹＥＳ）。その後、ＣＰＵ１００は、Ｓ１０２と同様に、経過時間Ｔが規定時間Ｔａを超えたか否かを判断し（Ｓ１０５）、超えたと判断すると（Ｓ１０５：ＹＥＳ）、完了フラグを「１」にセットする（Ｓ１０６）。こうして、第１のスクロール制御が終了する。
【００８６】
第１のスクロール動作と並行して、第２のスクロール制御が開始されている。ＣＰＵ１００は、ユーザによって第２表示画面２１のスクロール操作部Ｍ５が操作されたか否かを判断する（Ｓ２０１）。そして、スクロール操作がなされたと判断すると、ＣＰＵ１００は、第１のスクロール制御における完了フラグが「１」になっているか否かを判断する（Ｓ２０２）。
【００８７】
上述した第１のスクロール制御が完了している場合には、完了フラグは「１」となっている。この場合、メイン画面側に表示された全文章がサブ画面側に表示され、既に相手に読まれていると判断できる。
【００８８】
ＣＰＵ１００によって、完了フラグが「１」となっていると判断されると（Ｓ２０２：ＹＥＳ）、表示制御部１１０から画像信号が液晶表示器４００および液晶表示器５００に送られる。これによって、メイン画面およびサブ画面で画面がスクロールし、図１０（ｃ）に示すように、それぞれの表示画面に次のメール文章が表示される（Ｓ２０３）。
【００８９】
一方、第２表示画面２１でスクロール操作がされたときに、第１のスクロール制御が完了していない場合には、完了フラグが「０」のままになっている。この場合、メイン画面の全文章がサブ画面に全て表示されておらず、まだ相手に読まれていないと判断できる。
【００９０】
そこで、ＣＰＵ１００は、完了フラグが「１」となっていないと判断すると（Ｓ２０２：ＮＯ）、第１のスクロール制御が終わって完了フラグが「１」になるまで待機する。そして、第１のスクロール制御が完了すると（Ｓ２０２：ＹＥＳ）、上記ステップＳ２０３の動作が実行され、メイン画面およびサブ画面に次のメール文章が表示される。
【００９１】
こうして、次のメール文章の表示画面においても、同様に、第１、第２のスクロール制御が行われる。
【００９２】
なお、図８（ｂ）の構成のように、第１表示画面１１を３分割した場合には、２分割した場合よりも各サブ画面で表示できる文字数が少なくなる。このため、各サブ画面では、
メイン画面の全文章を２回で表示できなくなる場合が起こり得る。よって、この場合、ステップＳ１０２〜Ｓ１０４の動作が２回繰り返される。
【００９３】
また、図８（ｂ）のに場合には、左右のサブ画面と後ろのサブ画面とで表示できる文字数が異なるため、第１のスクロール制御が、左右のサブ画面と後ろのサブ画面とで別個に実行される。さらに、第２のスクロール制御のステップＳ２０２では、左右のサブ画面での第１のスクロール制御の完了フラグと後ろのサブ画面での第１のスクロール制御の完了フラグの双方が「１」となったか否かがＣＰＵ１００によって判断される。そして、双方の完了フラグが「１」となってはじめて、ステップＳ２０３に移行され、メイン画面と３つのサブ画面に次のメール文章が表示される。
【００９４】
このような構成では、スクロール操作（画面を送る操作）がなされたときに、メイン画面に表示された全文章（全画像）がサブ画面に表示された後でないと、双方の画面に次の文章（画像）が表示されない。よって、メイン画面に表示された全文章がサブ画面に一度に表示できないような構成であっても、メイン画面側でのスクロール操作によって、サブ画面側に全文章が表示されないまま、各画面の表示がメイン画面上の全文章に続く次の文章に切り替わってしまうのを防止することができる。こうして、操作者本人と他の人が文章の同じ部分を読むことができるようになる。
【００９５】
なお、上記の構成では、サブ画面で全文章が表示されてからメイン画面のスクロールを開始することにより画面の送り速度を同期させたが、この他、メイン画面でのスクロール速度をサブ画面でのスクロール速度に比べて遅くすることにより、メイン画面の表示とサブ画面の表示を同期させる構成としてもよい。
【００９６】
また、上記の構成は、所有者本人のみが携帯電話機を操作することを前提とし、スクロール操作部Ｍ５をメイン画面側にのみ設ける構成とした場合に有用である。しかし、相手側に一定操作を行わせてもよいと考える場合には、各サブ画面にスクロール操作部を設け、独自に画面をスクロールできる構成としてもよい。このような構成とすれば、メイン画面側でのスクロール操作に関係なく、サブ画面の内容を確実に読むことができる。また、このような構成とした場合には、メイン画面側に現在表示されている文章が、サブ画面上で色を変えて表示されるようにしてもよい。こうすると、サブ画面で文章を読んでいる相手が、メイン画面で現在どの文章が読まれているかを容易に把握することができる。
【００９７】
（変形例３）
上記実施の形態では、予めユーザによって「分割画面表示」が設定されている場合に、２画面状態への切替え操作に連動して、画像の表示形態が切り替わる（たとえば、第１表示画面１１の画像が天地逆さまになる）構成としている。しかし、これに限らず、以下のように、他のトリガーとなる動作によって画像の表示形態が切り替わる構成としてもよい。
【００９８】
図１１は、本実施の形態に係る携帯電話機において、他の画面表示制御を説明するためのフローチャートである。また、図１２は、本実施形態に係る携帯電話機において、他の画面表示制御を行ったときのメールモードでの画面表示例を示す図である。
【００９９】
まず、１画面状態では、表示制御部１１０から画像信号が液晶表示器４００に送られ、第１表示画面１１に所定の画像（文章、映像など）が表示される（Ｓ１１）。ユーザの操作によって２画面状態に切り替えられ、上述のように、ＣＰＵ１００によって２画面状態になったと判断される（Ｓ１２：ＹＥＳ）。すると、表示制御部１１０から画像信号が液晶表示器４００および液晶表示器５００に送られ、図１２（ａ）に示すように、第１表示画面１１と第２表示画面２１による大画面上に１つの画像が表示される（Ｓ１３）。たと
えば、大画面に応じた行数のメール文章が表示される。
【０１００】
このとき、第２表示画面２１には、上述したスクロール操作部Ｍ５の他、切替操作部Ｍ６が表示される。切替操作部Ｍ６は、視聴人数を選ぶための、「２」「３」「４」の３つの選択ボタンを備える。なお、スクロール操作部Ｍ５および切替操作部Ｍ６を表示画面上に設けずに、操作ボタン群３７の中のボタンとして設けてもよい。
【０１０１】
次に、ＣＰＵ１００は、切替操作部Ｍ６が操作されたか否かを判断する（Ｓ１４）。そして、切替操作部Ｍ６が操作されたと判断すると（Ｓ１４：ＹＥＳ）、ＣＰＵ１００は、どの選択ボタンが押されたか判断する（Ｓ１５）。
【０１０２】
ＣＰＵ１００によって、２人用である「２」の選択キーが押されたと判断されると（Ｓ１５：２人）、表示制御部１１０から画像信号が液晶表示器４００および液晶表示器５００に送られる。これにより、図１２（ｂ）に示すように、第１表示画面１１には、先の画像（メール文章）が天地逆さまになって表示され、第２表示画面には、先に表示画面１１に表示されていた画像（メール文章）が通常の状態で表示される（Ｓ１６）。
【０１０３】
なお、ステップＳ１５において、３人用である「３」の選択キーが押されたとＣＰＵ１００によって判断された場合には、上述した図８（ａ）の画面表示と同様に、第１表示画面１１を２分割した、全体として３分割の画面表示がなされる（Ｓ１７）。また、ステップＳ１５において、４人用である「４」の選択キーが押されたとＣＰＵ１００によって判断された場合には、図８（ｂ）の画面表示と同様に、第１表示画面１１を３分割した、全体として４分割の画面表示がなされる。
【０１０４】
この構成では、「分割画面表示」が必要になった時点で、画面表示の切替えを行うことができる。また、見る人数に応じて表示形態を選択できるので、ユーザ本人以外の人が、画像をより見やすくなる。
【０１０５】
（変形例４）
本実施の形態に係る画面表示制御は、メールモード以外のモード、たとえば、テレビモードにおいても適用することができる。
【０１０６】
図１３は、本実施の形態に係る携帯電話機において、画面表示制御をテレビモードに適用したときの画面表示例を示す図である。同図（ａ）に示すように、１画面状態では、第１表示画面１１にテレビ映像が表示される。また、画面の下端には、チャンネルの切替えや音量の調整を行うためのテレビ操作部Ｍ７が表示される。なお、テレビ操作部Ｍ７を表示画面上に設けずに、操作ボタン群３７の中のボタンとして設けてもよい。
【０１０７】
ユーザの操作によって、第２キャビネット２が引き出され、２画面状態となった場合、ユーザによって「分割画面表示」の設定がなされていれば、図１３（ｂ）に示すように、第１表示画面１１に、上下逆さまになったテレビ映像が表示される。また、第２表示画面２１に、通常の状態のテレビ映像とテレビ操作部Ｍ６が表示される。
【０１０８】
一方、ユーザによって「分割画面表示」の設定がなされていなければ、図１２（ｃ）に示すように、第１表示画面１１と第２表示画面２１とからなる大画面上に、拡大されたテレビ映像が表示される。また、第２表示画面にテレビ操作部Ｍ６が表示される。
【０１０９】
このように、テレビモードにおいて、２つの表示画面において、反する向きで映像が表示されるようにすれば、互いに向き合った相手と映像を楽しむことができる。
【０１１０】
なお、テレビモードだけでなく、その他、映画やゲームなどの映像を表示するモードに上記画面表示制御が適用されれば、上記と同様の効果が得られる。
【０１１１】
（変形例５）
上記実施の形態では、２画面状態において、第１キャビネット１および第２キャビネット２が前後に並ぶように構成されているが、図１４に示すように、第１キャビネット１および第２キャビネット２が左右に並ぶ構成としてもよい。この場合、第１キャビネット１および第２キャビネット２の前面および後面が保持体３によって保持される。そして、第１キャビネット１が左方向に移動し、第２キャビネット２が右方向に移動することにより、両者が左右に並ぶ。
【０１１２】
図１４（ａ）に示す１画面状態では、第１表示画面１１に通常の状態でメール文章（画像）が表示される。ユーザにより「分割画面表示］が設定されている場合、同図（ｂ）に示す２画面状態になると、第１表示画面１１に天地逆転した状態で先のメール文章（画像）が表示され、第２表示画面２１に通常の状態でメール文章（画像）が表示される。
【０１１３】
なお、２画面状態における画面表示は、図１５（ａ）、（ｂ）に示すようにすることもできる。図１５（ａ）に示す画面表示例では、２画面状態になると、第１表示画面１１においては、左側が下になるように横向きにメール文章（画像）が表示され、第２表示画面２１においては、右側が下になるように横向きにメール文章（画像）が表示される。また、図１５（ｂ）に示す画面表示例では、２画面状態になると、第１表示画面１１の下半分と、第２表示画面の下半分に通常の状態でメール文章（画像）が表示される。一方、第１表示画面１１の上半分と、第２表示画面２１の上半分に天地逆さまのメール文章（画像）が表示される。また、これら表示画面１１、１２の中央には、画面を仕切る水平なラインＭ８が表示される。
【０１１４】
なお、図１４（ｂ）および図１５（ａ）、（ｂ）に示す画面表示が、ユーザの操作によって切り替えられる構成としてもよい。
【０１１５】
（変形例６）
上記実施の形態では、図６（ｂ）に示すような「２分割表示」とした場合、第１表示画面１１に天地逆さまの画像が表示されるようにしているが、この第１表示画面１１の方向を、ユーザの操作により切替えるようにすることもできる。図１６は、このような構成における画面表示例を示す。
【０１１６】
図１６（ａ）に示すように、第２表示画面２１には、方向切替ボタンＭ９が配されている。同図（ａ）の状態から、この方向切替ボタンＭ９が押されると、同図（ｂ）に示すように、メール文章（画像）が右側が下となるような横向き状態に切り替わる。さらに、同図（ｂ）の状態から、方向切替ボタンＭ９が押されると、同図（ｃ）に示すように、メール文章（画像）が左側が下となるような横向き状態に切り替わる。同図（ｃ）の状態から、方向切替ボタンＭ９が押されると、同図（ａ）の状態に戻る。
【０１１７】
このような構成とすれば、相手の位置に応じて画像の方向を切替えることができるので、利便性がさらに向上する。
【０１１８】
（その他）
上記実施の形態では、第２表示画面２１が前方（ユーザ本人側）に移動し、第１表示画面が後方（相手側）に移動する構成であるため、第１表示画面１１の画像を逆さまにするようにしたが、第１表示画面１１が前方に移動し、第２表示画面が後方に移動する構成であれば、第２表示画面２１の画像を逆さまにするとよい。すなわち、相手側に向けられる
表示画面の画像が、ユーザ本人に対し、逆さまに表示されるようにすればよい。
【０１１９】
この他、本発明の実施の形態は、特許請求の範囲に示された技術的思想の範囲内において、適宜、種々の変更が可能である。
【符号の説明】
【０１２０】
１１    第１表示画面
１４    磁石（切替機構部）
１６    突起部（切替機構部）
１７    突起部（切替機構部）
２１    第２表示画面
２３    磁石（切替機構部）
２６    軸部（切替機構部）
２７    軸部（切替機構部）
３４    コイルバネ（切替機構部）
３９    案内溝（切替機構部）
４００  液晶表示器（第１表示ユニット）
５００  液晶表示器（第２表示ユニット）
１１０  表示制御部
【図１】
2011159310.tif 000003
【図２】
2011159310.tif 000004
【図３】
2011159310.tif 000005
【図４】
2011159310.tif 000006
【図５】
2011159310.tif 000007
【図６】
2011159310.tif 000008
【図７】
2011159310.tif 000009
【図８】
2011159310.tif 000010
【図９】
2011159310.tif 000011
【図１０】
2011159310.tif 000012
【図１１】
2011159310.tif 000013
【図１２】
2011159310.tif 000014
【図１３】
2011159310.tif 000015
【図１４】
2011159310.tif 000016
【図１５】
2011159310.tif 000017
【図１６】
2011159310.tif 000018
【手続補正書】
【提出日】平成23年4月15日(2011.4.15)
【手続補正１】
【補正対象書類名】特許請求の範囲
【補正対象項目名】全文
【補正方法】変更
【補正の内容】
【特許請求の範囲】
【請求項１】
第１表示画面を有する第１表示ユニットと、
第２表示画面を有する第２表示ユニットと、
前記第１表示ユニットおよび第２表示ユニットの表示を制御する表示制御部と、からなる情報処理装置において、
２つの前記表示画面のうち前記第１表示画面のみが外部に臨む第１画面状態と前記第１表示画面と前記第２表示画面の双方が外部に臨む第２画面状態とに切り替える可能なように前記第１表示ユニットおよび前記第２表示ユニットが関連付けられ、
前記表示制御部は、前記第１画面状態において前記第１表示画面に表示された画像を、前記第２画面状態に切り替わると、前記第１表示画面には前記画像が天地逆さまになって表示されるとともに、前記第２表示画面には前記第１画面状態で表示されていた画像と同じ向きで前記画像が表示されるよう制御する情報処理装置。
【請求項２】
請求項１における情報処理装置において
分割画面の表示が設定される場合には、前記表示制御部は、前記第１表示画面には前記画像が天地逆さまになって表示されるとともに、前記第２表示画面には前記第１画面状態で表示されていた画像と同じ向きで前記画像が表示されるよう制御し、
分割画面の表示が設定されていない場合には、前記表示制御部は、前記第１画面状態において前記第１表示画面に表示された画像を、前記第２画面状態に切り替わると、前記第１表示画面と前記第２表示画面が一体化された画面上に前記画像が表示されるよう制御することを特徴とする情報処理装置。